(57)【特許請求の範囲】
【請求項１】
水平方向に付設した複数のブレードを回転するモータと、そのモータの上部に突出したシャフトと、このシャフトの上端に接続して天井面に吊り下げるためのパイプと、このパイプと前記シャフトにそれぞれ設けた貫通孔を介して連結する連結棒と、この連結棒に螺合する雌ねじ部と、前記シャフトと前記パイプとの相対的な位置変位量に対応して変位する、または変位量を検出する変位対応具と、この変位対応具の変位または検出した変位量に応じて前記モータへの通電を制御する電源制御具を有し、前記変位対応具を、前記シャフト側に設けられるシャフト側変位対応具と、前記パイプ側に設けられるパイプ側変位対応具とに分離可能に設け、前記パイプと前記シャフトを連結するときに、一対の前記変位対応具として同時に連結される構成としてなる天井扇風機。
【請求項２】
電源制御具を、パイプ側変位対応具に設けられる電源供給具と、シャフト側変位対応具に設けられる電源受給具に分離可能とした請求項１記載の天井扇風機。
【請求項３】
パイプ側に設けられる電源供給具とパイプ側変位対応具を一体化して雌型コネクターとなし、シャフト側に設けられる電源受給具とシャフト側変位対応具を一体化して雄型コネクターとした請求項１または２に記載の天井扇風機。
【請求項４】
シャフトの先端部を覆うとともに、このシャフトとパイプの間に嵌入される鍔付キャップを設けてなる請求項１〜３のいずれかに記載の天井扇風機。
【請求項５】
鍔付キャップの材質を合成樹脂としてなる請求項３記載の天井扇風機。
【請求項６】
シャフトとパイプの間に嵌入される鍔付キャップを、パイプに略一体に固定するとともに、パイプ側変位対応具とした請求項１〜４のいずれかに記載の天井扇風機。
【請求項７】
シャフト側変位対応具とパイプ側変位対応具の一方にマグネットを設け、他方に金属板を設けてなる請求項２または６記載の天井扇風機。
【請求項８】
シャフトとパイプとの相対的な位置変位量に対応して変位量を検出する変位対応具と、この変位対応具からの検出値を電気信号として受ける制御部を有し、この制御部は前記検出値がしきい値を超えたときは、電源制御具を介してモータへの通電を制御または停止してなる請求項１記載の天井扇風機。
【請求項９】
制御部の入力側にしきい値調整部を設け、しきい値を調整可能に設けた請求項８記載の天井扇風機。
【請求項１０】
パイプ側変位対応具としてマグネットを設け、シャフト側変位対応具として磁気検出具を設け、制御部は前記磁気検出具の検出値がしきい値以下となったとき、モータを停止または回転数を低減してなる請求項８または９記載の天井扇風機。
【請求項１１】
パイプ側変位対応具として反射板を設け、シャフト側変位対応具として制御部に接続された赤外線発光部および赤外線受光部を設け、この赤外線受光部の検出値がしきい値以下のときに、制御部はモータを停止または回転数を低減してなる請求項８または９記載の天井扇風機。
【請求項１２】
モータを停止または回転数を低減した場合に異常を知らせる報知手段を有し、この報知手段を変位対応具に近接して設けてなる請求項１または８記載の天井扇風機。
【発明の詳細な説明】
【技術分野】
【０００１】
本発明は、ブレードを回転するモータの上部に突出したシャフトを、天井面より吊り下げられたパイプに連結することにより、空中に保持される天井扇風機に関する。
【背景技術】
【０００２】
従来、この種の天井扇風機の一例として、取り付けねじがゆるんだときに警報装置により知らせる天井扇風機が知られている（例えば、特許文献１参照）。
【０００３】
以下、その天井扇風機について図１６を参照にしながら説明する。
【０００４】
図に示すように、天井扇風機の中心を貫通するパイプ１０１は、半球状のフランジ１０２を介して取付金具１０３に吊り下げられ、取付金具１０３は天井面に木ねじ１０４で取り付けられる取付板１０５に結合ねじ１０６により取り付けられ、取付金具１０３にはマイクロスイッチ１０７を設け、マイクロスイッチ１０７のアクチュエータ１０８を天井面に当接させて構成している。
【先行技術文献】
【特許文献】
【０００５】
【特許文献１】特許第３０３２３２５号公報（［００１０］、［００１１］、図１）
【発明の概要】
【発明が解決しようとする課題】
【０００６】
このような従来の天井扇風機では、取付板１０５を取り付けている木ねじ１０４または取付板１０５に取付金具１０３を取り付ける結合ねじ１０６のゆるみが発生したときに、マイクロスイッチ１０７を介して警報装置等を作動して安全性を高めるものであって、天井扇風機の構造がモータ側に設けたシャフト（図示せず）と天井から吊り下げられたパイプ１０１を連結する場合には、シャフトとパイプ１０１が充分にねじ締め固定されていないときは、モータの運転停止や変速を行なうときの繰り返しにより、天井扇風機を保持する強度が不足して、不安全な吊り下げ状態になるという課題がある。
【０００７】
本発明は、このような従来の課題を解決するものであり、シャフトとパイプが充分にねじ締め固定されていない場合に、長期の運転による磨耗の進行を自動的に検出して、適切に運転を停止または減速することにより、安全性を確保して使用することのできる天井扇風機を提供することを目的とする。
【課題を解決するための手段】
【０００８】
本発明の天井扇風機は、上記目的を達成するために、水平方向に付設した複数のブレードを回転するモータと、そのモータの上部に突出したシャフトと、このシャフトの上端に接続して天井面に吊り下げるためのパイプと、このパイプと前記シャフトにそれぞれ設けた貫通孔を介して連結する連結棒と、この連結棒に螺合する雌ねじ部と、前記シャフトと前記パイプとの相対的な位置変位量に対応して変位する、または変位量を検出する変位対応具と、この変位対応具の変位または検出した変位量に応じて前記モータへの通電を制御する電源制御具を有し、前記変位対応具を、前記シャフト側に設けられるシャフト側変位対応具と、前記パイプ側に設けられるパイプ側変位対応具とに分離可能に設け、前記パイプと前記シャフトを連結するときに、一対の前記変位対応具として同時に連結される構成としてなるものである。
【０００９】
また、他の手段は、電源制御具を、パイプ側変位対応具に設けられる電源供給具と、シャフト側変位対応具に設けられる電源受給具に分離可能としたものである。
【００１０】
また、他の手段は、パイプ側に設けられる電源供給具とパイプ側変位対応具を一体化して雌型コネクターとなし、シャフト側に設けられる電源受給具とシャフト側変位対応具を一体化して雄型コネクターとしたものである。
【００１１】
また、他の手段は、シャフトの先端部を覆うとともに、このシャフトとパイプの間に嵌入される鍔付キャップを設けてなるものである。
【００１２】
また、他の手段は、鍔付キャップの材質を合成樹脂としてなるものである。
【００１３】
また、他の手段は、シャフトとパイプの間に嵌入される鍔付キャップを、パイプに略一体に固定するとともに、パイプ側変位対応具としたものである。
【００１４】
また、他の手段は、シャフト側変位対応具とパイプ側変位対応具の一方にマグネットを設け、他方に金属板を設けてなるものである。
【００１５】
また、他の手段は、シャフトとパイプとの相対的な位置変位量に対応して変位量を検出する変位対応具と、この変位対応具からの検出値を電気信号として受ける制御部を有し、この制御部は前記検出値がしきい値を超えたときは、電源制御具を介してモータへの通電を制御または停止してなるものである。
【００１６】
また、他の手段は、制御部の入力側にしきい値調整部を設け、しきい値を調整可能に設けたものである。
【００１７】
また、他の手段は、パイプ側変位対応具としてマグネットを設け、シャフト側変位対応具として磁気検出具を設け、制御部は前記磁気検出具の検出値がしきい値以下となったとき、モータを停止または回転数を低減してなるものである。
【００１８】
また、他の手段は、パイプ側変位対応具として反射板を設け、シャフト側変位対応具として制御部に接続された赤外線発光部および赤外線受光部を設け、この赤外線受光部の検出値がしきい値以下のときに、制御部はモータを停止または回転数を低減してなるものである。
【００１９】
また、他の手段は、モータを停止または回転数を低減した場合に異常を知らせる報知手段を有し、この報知手段を変位対応具に近接して設けてなるものである。
【００２０】
これらの手段により、シャフトとパイプを貫通する連結棒に、雌ねじ部が充分にねじ締め固定されていない場合に、長期の運転による連結棒または貫通孔の磨耗の進行を自動的に検出して、即座に運転を停止または減速することにより、安全性を確保して使用することのできる天井扇風機が得られる。
【発明の効果】
【００２１】
本発明によれば、水平方向に付設した複数のブレードを回転するモータと、そのモータの上部に突出したシャフトと、このシャフトの上端に接続して天井面に吊り下げるためのパイプと、このパイプと前記シャフトにそれぞれ設けた貫通孔を介して連結する連結棒と、この連結棒に螺合する雌ねじ部と、前記シャフトと前記パイプとの相対的な位置変位量に対応して変位する、または変位量を検出する変位対応具と、この変位対応具の変位または検出した変位量に応じて前記モータへの通電を制御する電源制御具を有し、前記変位対応具を、前記シャフト側に設けられるシャフト側変位対応具と、前記パイプ側に設けられるパイプ側変位対応具とに分離可能に設け、前記パイプと前記シャフトを連結するときに、一対の前記変位対応具として同時に連結される構成とすることにより、雌ねじ部が連結棒に強固に固定されていない場合に、モータの運転停止や変速を行うときの繰り返しにより、モータの回転力による軸トルクがシャフトとパイプの連結部分に加わり、連結棒または貫通孔が次第に磨耗して不安全になるが、シャフトとパイプとの相対的な変位量に対応する変位対応具により、モータへの通電を制御することで、連結部の磨耗の進行を防ぐことができ、設置時の取り付けミスなどにより、パイプとシャフトが正しく連結されていない場合に、落下に対し不安全な状態での天井扇風機の使用を防止でき、変位対応具の組み付け時の位置合わせが容易にでき、施工時や製造時の作業性を向上することができるという効果のある天井扇風機を提供することができる。
【００２２】
また、電源制御具を、パイプ側変位対応具に設けられる電源供給具と、シャフト側変位対応具に設けられる電源受給具に分離可能としたことにより、シャフトをパイプに連結したときに、一対の変位対応具と電源制御具として機能し、変位対応具に連動する電源制御具によってモータへの通電を停止することで、不安全な状態での運転を停止することができるとともに、パイプとシャフトを分離できることで、製品梱包時の寸法を小さくすることができる。
【００２３】
また、パイプ側に設けられる電源供給具とパイプ側変位対応具を一体化して雌型コネクターとなし、シャフト側に設けられる電源受給具とシャフト側変位対応具を一体化して雄型コネクターとしたことにより、パイプに対してシャフトが相対的に下方向に変位する危険な状況となった場合には、雄型コネクターと雌型コネクターに許容範囲を超えた下向きの強い力が働き、雄型コネクターと雌型コネクターが引き離されるため、モータへの導通が遮断されて運転を停止することができる。
【００２４】
また、シャフトの先端部を覆うとともに、このシャフトとパイプの間に嵌入される鍔付キャップを設けることにより、設置現場に対応したパイプを自由に選択でき、パイプとシャフトの変位量を正確に検知できるため、確実にモータへの導通を遮断させ、天井扇風機の運転を停止または減速させ、連結部の磨耗の進行を防ぐことができる。
【００２５】
また、鍔付キャップの材質を合成樹脂とすることにより、シャフトとパイプの密着度を増すこととなり、連結棒または連結穴の微少移動によるに磨耗の発生を抑制することができ、また鍔付キャップが柔軟な材質であるため緩衝材となり、防振機能を発揮するとともに、異音の発生を防ぐことができる。
【００２６】
また、シャフトとパイプの間に嵌入される鍔付キャップを、パイプに略一体に固定するとともに、パイプ側変位対応具としたことにより、パイプとシャフトの変位量を正確に検知できるため、確実にモータへの導通を遮断させ、天井扇風機の運転を停止または減速させ、連結部の磨耗の進行を防ぎ、天井扇風機の落下を防止することができる。
【００２７】
また、シャフト側変位対応具とパイプ側変位対応具の一方にマグネットを設け、他方に金属板を設けることにより、連結棒または貫通孔が磨耗し変位が生じ、その変位によりマグネットと金属板が引き合う規定値以上の鉛直下向きの力が加わったとき、シャフト側変位対応具とパイプ側変位対応具が切り離されるため、モータへの導通を遮断して安全に停止することができる。
【００２８】
また、シャフトとパイプとの相対的な位置変位量に対応して変位量を検出する変位対応具と、この変位対応具からの検出値を電気信号として受ける制御部を有し、この制御部は前記検出値がしきい値を超えたときは、電源制御具を介してモータへの通電を制御または停止することにより、位置変位量に応じて天井扇風機の運転を制御できるので、シャフトとパイプに変位が生じた場合は、モータへの通電を停止または制御することにより、連結部の磨耗の進行を防ぎ、天井扇風機を安全に吊り下げることができる。
【００２９】
また、制御部の入力側にしきい値調整部を設け、しきい値を調整可能に設けたことにより、施工現場において、パイプとシャフトを接続した施工終了時に、しきい値の設定値を調整することにより、変位対応具の微調整をすることなく、操作部の調整部を用いて変位対応具の検出値に対応したしきい値の設定が可能となり、施工後の天井付近のある連結部分の微調整をする煩雑な調整作業が不要となり、安全性を確保するための施工作業を容易に行なうことができる。
【００３０】
また、パイプ側変位対応具としてマグネットを設け、シャフト側変位対応具として磁気検出具を設け、制御部は前記磁気検出具の検出値がしきい値以下となったとき、モータを停止または回転数を低減することにより、連結棒または貫通孔が磨耗して、運転中に磁気検出具の検出値がしきい値以下となった場合は、制御部がモータへの通電を停止または回転数を低減して、連結部の磨耗の進行を防ぎ、安全性を確保することができる。
【００３１】
また、パイプ側変位対応具として反射板を設け、シャフト側変位対応具として制御部に接続された赤外線発光部および赤外線受光部を設け、この赤外線受光部の検出値がしきい値以下のときに、制御部はモータを停止または回転数を低減したことにより、パイプに対してシャフトが相対的に下方向に変位した場合は、赤外線受光部の検出値はしきい値以下に大きく低下するので、制御部はモータへの通電を停止または回転数を低減して、安全性を確保することができる。
【００３２】
また、モータを停止または回転数を低減した場合に異常を知らせる報知手段を有し、この報知手段を変位対応具に近接して設けることにより、異常停止または異常に対応した運転状態であることを使用者に知らしめ、報知手段は変位対応具に近接しているので、点検箇所が容易に判別でき、部品の交換などの準備を即座に行なうことができる。
【図面の簡単な説明】
【００３３】
【図１】本発明の実施の形態１の天井扇風機の全体側面図
【図２】同、天井扇風機の要部側面図
【図３】同、天井扇風機の他の要部側面図
【図４】同、天井扇風機の変位対応具とパイプの関係を示す要部側面図
【図５】同、天井扇風機の変位対応具と電源制御具の関係を示す要部側面図
【図６】同、天井扇風機の雌型コネクターと雄型コネクターの接続状態を示す要部側面図
【図７】同、天井扇風機の雌型コネクターと雄型コネクターの分離状態を示す要部側面図
【図８】同、天井扇風機のパイプとシャフトの変位状態を示す要部側面図
【図９】本発明の実施の形態２の天井扇風機の鍔付キャップの取付状態を示す要部側面図
【図１０】同、天井扇風機のマグネットと金属板の関係を示す要部側面図
【図１１】同、天井扇風機のブロック回路図
【図１２】同、天井扇風機の制御部としきい値調整部の関係を示すブロック回路図
【図１３】同、天井扇風機のマグネットと磁気検出具の関係を示す要部側面図
【図１４】同、天井扇風機の赤外線受発光部と反射板の関係を示す要部側面図
【図１５】同、天井扇風機の制御部と報知手段の関係を示すブロック回路図
【図１６】従来の天井扇風機の要部側面図
【発明を実施するための形態】
【００３４】
本発明の請求項１記載の天井扇風機は、水平方向に付設した複数のブレードを回転するモータと、そのモータの上部に突出したシャフトと、このシャフトの上端に接続して天井面に吊り下げるためのパイプと、このパイプと前記シャフトにそれぞれ設けた貫通孔を介して連結する連結棒と、この連結棒に螺合する雌ねじ部と、前記シャフトと前記パイプとの相対的な位置変位量に対応して変位する、または変位量を検出する変位対応具と、この変位対応具の変位または検出した変位量に応じて前記モータへの通電を制御する電源制御具を有し、前記変位対応具を、前記シャフト側に設けられるシャフト側変位対応具と、前記パイプ側に設けられるパイプ側変位対応具とに分離可能に設け、前記パイプと前記シャフトを連結するときに、一対の前記変位対応具として同時に連結される構成としてなり、雌ねじ部が連結棒に強固に固定されずにシャフトとパイプの隙間が生じる場合は、モータの運転停止や変速を行うときの反動の繰り返しにより、モータの回転力による軸トルクがシャフトとパイプの連結部分に加わり、連結棒または貫通孔が次第に磨耗して、パイプに対してシャフトの位置が低下することになり、この相対的な変位量に対応して変位する、または変位量を検出する変位対応具により、変位状態または検出した変位量に応じて、モータへの通電を電源制御具によって制御することができ、連結部の磨耗の進行を防ぐことができ、施工現場の製品組立時において、パイプとシャフトを連結するときに、一対の変位対応具として同時に連結されるので、変位対応具の取付け忘れを防止できるとともに、パイプとシャフトが正しく連結されていない場合は、連結棒または貫通孔の磨耗による、シャフトとパイプとの相対的な位置変位に反応して、モータへの通電を電源制御具によって制御することで、落下に対し不安全な状態での天井扇風機の使用を防止でき、変位対応具をパイプの端部を基準に固定することにより、変位対応具の組み付け時の位置合わせが容易にでき、施工時や製造時の作業性を向上することができるという作用を有する。
【００３５】
また、電源制御具を、パイプ側変位対応具に設けられる電源供給具と、シャフト側変位対応具に設けられる電源受給具に分離可能としたものであり、電源制御具を、商用電源に連結される電源供給具と、モータまたは電源回路に連結される電源受給具とに分離可能に設けるとともに、パイプに電源供給具を取り付け、シャフトに電源受給具を取り付けることにより、シャフトをパイプに連結したときに、一対の変位対応具と電源制御具として機能することとなり、パイプとシャフトが正しく連結されていない場合は、連結棒または貫通孔の磨耗により、パイプに対してシャフトの位置が変動したとき、変位対応具に連動する電源制御具によってモータへの通電を停止することで、不安全な状態での運転を停止することができるという作用を有する。
【００３６】
また、パイプ側に設けられる電源供給具とパイプ側変位対応具を一体化して雌型コネクターとなし、シャフト側に設けられる電源受給具とシャフト側変位対応具を一体化して雄型コネクターとしたものであり、パイプ側変位対応具と電源供給具とを一体化した雌型コネクターと、シャフト側変位対応具と電源受給具とを一体化した雄型コネクターを備えることにより、パイプに対してシャフトが相対的に下方向に変位する危険な状況となった場合には、雄型コネクターと雌型コネクターに許容範囲を超えた下向きの強い力が働き、雄型コネクターと雌型コネクターが引き離されるため、モータへの導通が遮断されて運転を停止することができるという作用を有する。
【００３７】
また、シャフトの先端部を覆うとともに、このシャフトとパイプの間に嵌入される鍔付キャップを設けてなるものであり、シャフトの先端部を覆うとともに、このシャフトとパイプの間に嵌入される鍔付キャップを設けることにより、シャフトの先端部を保護して変形を防ぐとともに、シャフトの先端部をパイプに挿入するときに、スライドしてパイプの先端が鍔付キャップの鍔部に当接した位置で、穴位置が合致するという案内機能を備えているので、シャフトとパイプの取付作業性をよくすることができ、さらに天井扇風機は天井高さなどによりパイプの長さを変更する場合があるが、モータのシャフトにパイプの内寸に合わせた鍔付キャップを設けていればよいので、設置現場に対応した長さのパイプを自由に選択することができるという作用を有する。
【００３８】
また、鍔付キャップの材質を合成樹脂としてなるものであり、金属よりもフレキシブルな合成樹脂製の鍔付キャップを使用することで、金属製のパイプの内径寸法精度およびシャフトの外形寸法精度が低くても、合成樹脂の鍔付キャップにより寸法や面粗さを吸収でき、密着度が増すことで、連結棒または連結穴の微少移動によるに磨耗の発生を抑制することができるとともに、天井扇風機のオンまたはオフの繰り返しにより、モータの回転力による軸トルクがシャフトとパイプの連結部に加わるときに、その連結部の隙間やガタなどから接触音や擦れ音発生する場合があるが、鍔付キャップが合成樹脂製であるため緩衝材として機能することとなり、振動の伝達を抑制するとともに異音の発生を防ぐことができるという作用を有する。
【００３９】
また、シャフトとパイプの間に嵌入される鍔付キャップをパイプに略一体に固定するとともに、パイプ側変位対応具とすることにより、連結棒または貫通孔が磨耗し、パイプとシャフトの変位が大となる不安全なときに、確実に鍔付キャップがパイプとともに変位するため、パイプとシャフトの変位量を正確に検知できるという作用を有する。
【００４０】
また、シャフト側変位対応具とパイプ側変位対応具の一方にマグネットを設け、他方に金属板を設けてなるものであり、シャフト側変位対応具とパイプ側変位対応具は、マグネットと金属板の組み合わせとするとともに、シャフト側変位対応具に直接または近接して電源受給具を設け、パイプ側変位対応具に直接または近接して電源供給具を設けることにより、通常使用時にはマグネットが金属板に付着して、電源供給具と電源受給具が接続されているが、連結棒または貫通孔が磨耗して変位量が大きくなると、マグネットと金属板に加わる磁力以上の下向きの重力が加わるときに、マグネットと金属板が切り離されて電源供給具と電源受給具も分離するため、モータの通電を遮断して、天井扇風機の運転を安全に停止することができるという作用を有する。
【００４１】
また、シャフトとパイプとの相対的な位置変位量に対応して変位量を検出する変位対応具と、この変位対応具からの検出値を電気信号として受ける制御部を有し、この制御部は前記検出値がしきい値を超えたときは、電源制御具を介してモータへの通電を制御または停止してなるものであり、シャフトとパイプとの相対的な位置変位量に対応して変位する変位対応具と、この変位対応具からの検出値を電気信号として受ける制御部を有しており、位置変位量に応じて制御部によりモータの運転を制御できるとともに、しきい値の設定も変更することが可能であり、シャフトとパイプに変位が生じて検出値が設定されたしきい値を超えたときは、この制御部は電源制御具を介してモータへの通電を停止または制御することで、連結部の磨耗の進行を防ぐことができるという作用を有する。
【００４２】
また、制御部の入力側にしきい値調整部を設け、しきい値を調整可能に設けたものであり、制御部には変位対応具の検出した変位値と比較するためのしきい値が予め設定してあるが、制御部の入力側の操作部に調整部を設け、しきい値の設定値を調整可能とすることにより、施工現場において、パイプとシャフトを接続した施工終了時に、しきい値の設定値を調整することにより、変位対応具の微調整をすることなく、操作部の調整部を用いて変位対応具の検出値に対応したしきい値の設定が可能となり、施工後の天井付近のある連結部分の微調整をする煩雑な調整作業が不要となり、安全性を確保するための施工作業を容易に行なうことができるという作用を有する。
【００４３】
また、パイプ側変位対応具としてマグネットを設け、シャフト側変位対応具として磁気検出具を設け、制御部は前記磁気検出具の検出値がしきい値以下となったとき、モータを停止または回転数を低減してなるものであり、パイプ側変位対応具としてマグネットを設け、シャフト側変位対応具として制御部の入力側に接続される磁気検出具を設け、通常使用時にはマグネットが磁気検出具に近接しているので、磁気検出具の検出値は大きく正常な運転を行なうが、連結棒または貫通孔が磨耗して、運転中に磁気検出具の検出値がしきい値以下となった場合は、制御部がモータへの通電を停止または回転数を低減して、連結部の磨耗の進行を防ぎ、安全性を確保することができるという作用を有する。
【００４４】
また、パイプ側変位対応具として反射板を設け、シャフト側変位対応具として制御部に接続された赤外線発光部および赤外線受光部を設け、この赤外線受光部の検出値がしきい値以下のときに、制御部はモータを停止または回転数を低減したものであり、パイプ側変位対応具として反射板を設け、シャフト側変位対応具として一対の赤外線発光部および赤外線受光部を、反射板に浅い角度で対向して設けることにより、通常運転時は赤外線発光部からの赤外線が反射板に反射して赤外線受光部に入射しているので、赤外線受光部の検出値は大きく正常な運転を行なうが、パイプに対してシャフトが相対的に下方向に変位した場合は、赤外線発光部と反射板の距離が増加するため、反射板で反射された赤外線は赤外線受光部の中心から外れて入射されるため、赤外線受光部の検出値は大きく低下して、しきい値以下となるため、制御部はモータへの通電を停止または回転数を低減して、連結部の磨耗の進行を防ぎ、安全性を確保することができるという作用を有する。
【００４５】
また、モータを停止または回転数を低減した場合に異常を知らせる報知手段を有し、この報知手段を変位対応具に近接して設けてなるものであり、変位対応具に近接して、異常を報知する報知手段を設けることにより、パイプに対してシャフトが相対的に下方向に変位する危険な状況となった場合に、制御部がモータへの通電を停止または回転数を低減したときは、報知手段を起動することにより、異常停止または異常に対応した運転であることを使用者に知らしめ、報知手段は変位対応具に近接しているので、点検箇所が容易に判別できるので、部品の交換などの準備を即座に行なうことができるという作用を有する。
【００４６】
以下、本発明の実施の形態について、図面を参照しながら説明する。
【００４７】
（実施の形態１）
図１〜図８に示すように、天井扇風機のモータ２は水平方向に放射状に配設した複数のブレード１を回転可能に支持し、モータ２の上部にシャフト３を突設している。径小なるシャフト３の上端部には径大なるパイプ５の下端部を接続し、天井面４に固定した固定金具（図示せず）にバイプ５の上端部を係合させることにより、天井扇風機を天井面４に吊り下げるようにしている。すなわち、パイプ５とシャフト３にそれぞれ貫通孔１２を設け、この貫通孔１２を貫通するボルト形状の連結棒６により連結し、連結棒６に雌ねじ部１３を螺合して固定している。なお、シャフト３とパイプ５との相対的な位置変位量に対応して変位する、または変位量Ｙを検出する変位対応具７と、この変位対応具７の変位または検出した変位量Ｙに応じて前記モータ２への通電を制御する電源制御具８を有している。
【００４８】
また、変位対応具７を、シャフト３側に設けられるシャフト側変位対応具７ｂと、パイプ５側に設けられるパイプ側変位対応具７ａとに分離可能に設けている。
【００４９】
また、変位対応具７をパイプ５の端部９を基準に固定している。
【００５０】
また、電源制御具８を、パイプ側変位対応具７ａに設けられる電源供給具８ａと、シャフト側変位対応具７ｂに設けられる電源受給具８ｂに分離可能としている。
【００５１】
また、パイプ５側に設けられる電源供給具８ａとパイプ側変位対応具７ａを一体化して雌型コネクター１０となし、シャフト３側に設けられる電源受給具８ｂとシャフト側変位対応具７ｂを一体化して雄型コネクター１１とした構成としている。
【００５２】
上記構成により、ブレード１を回転するモータ２のシャフト３は、天井４に吊り下げられたパイプ５を介して吊り下げられるが、このとき径大なる中空状のパイプ５の下部に径小なる中空状のシャフト３の上部を挿入し、さらにシャフト３とパイプ５にそれぞれ設けた貫通孔１２を、ボルト形状の連結棒６が貫通して他端を雌ねじ部１３で固定することにより保持される。このとき、雌ねじ部１３が連結棒に強固に固定されていない場合は、シャフト３とパイプ５の隙間が生じる。すなわち、連結棒６にはボルトなどを用い、貫通したボルトの先端をナットで強く締め付け、シャフト３とパイプ５の隙間をなくすことで、モータ２の回転力による軸トルクがシャフト３とパイプ５の連結部に加わっても、パイプ５に対しシャフト３は回転せず、連結棒６または貫通孔１２が磨耗しにくくなるが、設置時に必ずしもシャフト３とパイプ５の隙間をなくすほど固く締め付けられるとは限らず、隙間が生じた場合は、モータ２の運転停止や変速を行うときの繰り返しにより、モータ２の回転力による軸トルクがシャフト３とパイプ５の連結部分に加わり、連結棒６または貫通孔１２が次第に磨耗して、パイプ５に対してシャフト３の位置が低下する。このとき、シャフト３とパイプ５との相対的な変位量Ｙに対応して変位する、または変位量Ｙを検出する変位対応具７により、変位状態または検出した変位量Ｙに応じて、モータ２への通電を電源制御具８によって制御することで、連結部の磨耗の進行を防ぐことができる。
【００５３】
また、変位対応具７を、シャフト側変位対応具７ｂとパイプ側変位対応具７ａとに分離可能としたことにより、施工現場の製品組立時において、パイプ５とシャフト３を連結するときに、一対の変位対応具７として同時に連結されるので、変位対応具７の取付け忘れを防止できるとともに、パイプ５とシャフト３が正しく連結されていない場合は、連結棒６または貫通孔１２の磨耗による、シャフト３とパイプ５との相対的な位置変位に反応して、モータ２への通電を電源制御具８によって制御することで、落下に対し不安全な状態での天井扇風機の使用を防止できる。
【００５４】
また、変位対応具７をパイプ５の端部９を基準に固定することにより、変位対応具７の組み付け時の位置合わせが容易にでき、施工時や製造時の作業性を向上することができるとともに、変位対応具７の固定もパイプ５の端部９に当てて固定することができるため正確に位置決めでき、変位または検出される変位量Ｙの検出精度を高めることができる。
【００５５】
また、電源制御具８を、商用電源に連結される電源供給具８ａと、モータ２に連結される電源受給具８ｂとに分離可能に設けるとともに、パイプ５に電源供給具８ａを取り付け、シャフト３に電源受給具８ｂを取り付けることにより、シャフト３をパイプ５に連結したときに、一対の変位対応具７と電源制御具８として機能する。すなわち、パイプ５とシャフト３が正しく連結されていない場合は、連結棒６または貫通孔１２の磨耗により、パイプ５に対してシャフト３の位置が変動したとき、変位対応具７に連動する電源制御具８によってモータ２への通電を停止することで、不安全な状態での運転を停止することができる。
【００５６】
また、パイプ側変位対応具７ａと電源供給具８ａとを一体化した雌型コネクター１０と、シャフト側変位対応具７ｂと電源受給具８ｂとを一体化した雄型コネクター１１を備えることにより、パイプ５に対してシャフト３が相対的に下方向に変位する危険な状況となった場合には、雄型コネクター１１と雌型コネクター１０に許容範囲を超えた下向きの強い力が働き、雄型コネクター１１と雌型コネクター１０が引き離されるため、モータ２への導通が遮断されて運転を停止することができるものである。
【００５７】
（実施の形態２）
図９および図１０に示すように、シャフト３の先端部２５を覆う鍔付キャップ１４は、このシャフト３とパイプ５の間に嵌入されるものであり、鍔付キャップ１４の材質を合成樹脂としている。
【００５８】
また、シャフト３とパイプ５の間に嵌入される鍔付キャップ１４を、パイプ５に略一体に固定するとともに、パイプ側変位対応具７ａとしている。
【００５９】
また、シャフト側変位対応具７ｂとパイプ側変位対応具７ａの一方にマグネット１５を設け、他方に金属板１６を設けた構成としている。
【００６０】
上記構成により、シャフト３の先端部２５を覆うとともに、このシャフト３とパイプ５の間に嵌入される鍔付キャップ１４を設けることにより、シャフト３の先端部２５を保護して変形を防ぐとともに、シャフト３の先端部２５をパイプ５に挿入するときに、スライドしてパイプ５の端部９が鍔付キャップ１４の鍔部２６に当接した位置で、穴位置が合致するという案内機能を備えているので、シャフト３とパイプ５の取り付け作業性をよくすることができる。また、天井扇風機は天井高さなどによりパイプ５の長さを変更する場合があるが、モータ２のシャフト３にパイプ５の内寸に合わせた鍔付キャップ１４を設けていれば良いので、設置現場に対応した長さのパイプ５を自由に選択することができる。
【００６１】
また、鍔付キャップ１４の材質を合成樹脂とすることで、金属製のパイプ５の内径寸法精度およびシャフト３の外形寸法精度が低くても、合成樹脂製の鍔付キャップ１４により寸法や面粗さを吸収でき、密着度が増すことで、連結棒６または貫通孔１２の磨耗が生じにくくできる。さらにモータ２のオンまたはオフの繰り返しにより、モータ２の回転力による軸トルクがシャフト３とパイプ５の連結部に加わるときに、その連結部の隙間やガタなどから接触音や擦れ音発生する場合があるが、鍔付キャップ１４が合成樹脂製であるため緩衝材として機能することになり、振動の伝達を抑制するとともに、異音の発生を防ぐことができる。
【００６２】
また、鍔付キャップ１４を、パイプ５に略一体に固定するとともに、パイプ側変位対応具７ａとすることにより、連結棒６または貫通孔１２が磨耗し、パイプ５とシャフト３の変位が生じる危険なときに、確実に鍔付キャップ１４がパイプ５とともに変位するため、パイプ５とシャフト３の変位量Ｙを正確に検知できる。
【００６３】
また、シャフト側変位対応具７ｂとパイプ側変位対応具７ａは、マグネット１５と金属板１６の組み合わせとするとともに、シャフト側変位対応具７ｂに直接または近接して電源受給具８ｂを設け、パイプ側変位対応具７ａに直接または近接して電源供給具８ａを設けることにより、通常使用時にはマグネット１５が金属板１６に付着して、電源供給具８ａと電源受給具８ｂが接続されているが、連結棒６または貫通孔１２が磨耗して変位量Ｙが大きくなると、マグネット１５と金属板１６に加わる磁力以上の下向きの重力が加わるときに、マグネット１５と金属板１６が切り離されて電源供給具８ａと電源受給具８ｂも分離するため、モータ２の通電を遮断して安全に停止することができる。
【００６４】
（実施の形態３）
図１１〜図１５に示すように、シャフト３とパイプ５との相対的な位置変位量に対応して変位量Ｙを検出する変位対応具７と、この変位対応具７からの検出値を電気信号として受ける制御部１７を有し、この制御部１７は前記検出値がしきい値を超えたときは、電源制御具８を介してモータ２への通電を制御または停止するものである。
【００６５】
また、制御部１７の入力側にしきい値調整部１８を設け、しきい値を調整可能に設けている。
【００６６】
また、パイプ側変位対応具７ａとしてマグネット２３を設け、シャフト側変位対応具７ｂとして磁気検出具１９を設け、制御部１７は前記磁気検出具１９の検出値がしきい値以下となったとき、モータ２を停止または回転数を低減している。
【００６７】
また、パイプ側変位対応具７ａとして反射板２０を設け、シャフト側変位対応具７ｂとして制御部１７に接続された赤外線発光部２１および赤外線受光部２２を設け、この赤外線受光部２２の検出値がしきい値以下のときに、制御部１７はモータ２を停止または回転数を低減している。
【００６８】
また、モータ２を停止または回転数を低減した場合に異常を知らせる報知手段２７を有し、この報知手段２７を変位対応具７に近接して設ける構成としている。
【００６９】
上記構成により、シャフト３とパイプ５との相対的な位置変位量に対応して変位する変位対応具７と、この変位対応具７からの検出値を電気信号として受ける制御部１７を有しており、位置変位量に応じて制御部１７により天井扇風機の運転を制御できるとともに、しきい値の設定も変更することが可能であり、シャフト３とパイプ５に変位が生じて検出値が設定されたしきい値を超えたときは、この制御部１７は電源制御具８を介してモータ２への通電を停止または制御することで、連結部の磨耗の進行を防ぐことができる。
【００７０】
また、制御部１７には変位対応具７の検出した変位値と比較するためのしきい値が予め設定してあるが、制御部１７の入力側の操作部に調整部を設け、しきい値の設定値を調整可能とすることにより、施工現場において、パイプ５とシャフト３を接続した施工終了時に、しきい値の設定値を調整することにより、変位対応具７の微調整をすることなく、操作部の調整部を用いて変位対応具７の検出値に対応したしきい値の設定が可能となり、施工後の連結部分の微調整をする煩雑な調整作業が不要となり、安全性を確保するための施工作業を容易に行なうことができる。
【００７１】
また、パイプ側変位対応具７ａとしてマグネット２３を設け、シャフト側変位対応具７ｂとして制御部１７の入力側に接続される磁気検出具１９を設け、通常使用時にはマグネット２３が磁気検出具１９に近接しているので、磁気検出具１９の検出値は大きく、制御は正常な運転を行なうが、連結棒６または貫通孔１２が磨耗して、運転中に磁気検出具１９の検出値がしきい値以下となった場合は、制御部１７がモータ２への通電を停止または回転数を低減して、連結部の磨耗の進行を防ぎ、安全性を確保することができる。
【００７２】
また、パイプ側変位対応具７ａとして反射板２０を設け、シャフト側変位対応具７ｂとして一対の赤外線発光部２１および赤外線受光部２２を、反射板２０に浅い角度で対向して設けることにより、通常運転時は赤外線発光部２１からの赤外線２４が反射板２０に反射して赤外線受光部２２に入射しているので、赤外線受光部２２の検出値は大きく、正常な運転を行なうが、パイプ５に対してシャフト３が相対的に下方向に変位した場合は、赤外線発光部２１と反射板２０の距離が増加するため、反射板２０で反射された赤外線２４は赤外線受光部２２の中心から外れて入射されるため、赤外線受光部２２の検出値は大きく低下して、しきい値以下となるため、制御部１７はモータ２への通電を停止または回転数を低減して、連結部の磨耗の進行を防ぎ、安全性を確保することができる。
【００７３】
また、変位対応具７に近接して、異常を報知する報知手段２７を設けることにより、パイプ５に対してシャフト３が相対的に下方向に変位する危険な状況となった場合に、制御部１７がモータ２への通電を停止または回転数を低減したときは、報知手段２７を起動することにより、異常停止または異常に対応した運転であることを使用者に知らしめ、報知手段２７は変位対応具７に近接しているので、点検箇所が容易に判別できるので、部品の交換などの準備を即座に行なうことができる。
【００７４】
なお、報知手段２７としては、ブザー音や音声などの聴覚手段、ＬＥＤの点滅や文字表示などの視覚手段を用いることにより、異常状態を使用者に知らせるようにすることができる。
【産業上の利用可能性】
【００７５】
本発明にかかる天井扇風機は、水平方向に付設した複数のブレードを回転するモータと、そのモータの上部に突出したシャフトと、このシャフトの上端に接続して天井面に吊り下げるためのパイプと、このパイプと前記シャフトにそれぞれ設けた貫通孔を介して連結する連結棒と、この連結棒に螺合する雌ねじ部と、前記シャフトと前記パイプとの相対的な位置変位量に対応して変位する、または変位量を検出する変位対応具と、この変位対応具の変位または検出した変位量に応じて前記モータへの通電を制御する電源制御具を有し、前記変位対応具を、前記シャフト側に設けられるシャフト側変位対応具と、前記パイプ側に設けられるパイプ側変位対応具とに分離可能に設け、前記パイプと前記シャフトを連結するときに、一対の前記変位対応具として同時に連結される構成としてなり、雌ねじ部が連結棒に強固に固定されずにシャフトとパイプの隙間が生じる場合は、モータの運転停止や変速を行うときの反動の繰り返しにより、モータの回転力による軸トルクがシャフトとパイプの連結部分に加わり、連結棒または貫通孔が次第に磨耗して、パイプに対してシャフトの位置が低下することになり、この相対的な変位量に対応して変位する、または変位量を検出する変位対応具により、変位状態または検出した変位量に応じて、モータへの通電を電源制御具によって制御することができ、連結部の磨耗の進行を防ぐことができ、施工現場の製品組立時において、パイプとシャフトを連結するときに、一対の変位対応具として同時に連結されるので、変位対応具の取付け忘れを防止できるとともに、パイプとシャフトが正しく連結されていない場合は、連結棒または貫通孔の磨耗による、シャフトとパイプとの相対的な位置変位に反応して、モータへの通電を電源制御具によって制御することで、落下に対し不安全な状態での天井扇風機の使用を防止でき、変位対応具をパイプの端部を基準に固定することにより、変位対応具の組み付け時の位置合わせが容易にでき、施工時や製造時の作業性を向上することができる。
【符号の説明】
【００７６】
１    ブレード
２    モータ
３    シャフト
４    天井面
５    パイプ
６    連結棒
７    変位対応具
７ａ  パイプ側変位対応具
７ｂ  シャフト側変位対応具
８    電源制御具
８ａ  電源供給具
８ｂ  電源受給具
９    端部
１０  雌型コネクター
１１  雄型コネクター
１２  貫通孔
１３  雌ねじ部
１４  鍔付キャップ
１５  マグネット
１６  金属板
１７  制御部
１８  しきい値調整部
１９  磁気検出具
２０  反射板
２１  赤外線発光部
２２  赤外線受光部
２３  マグネット
２４  赤外線
２５  先端部
２６  鍔部
２７  報知手段
【図１】
0005321703.tif 000002
【図２】
0005321703.tif 000003
【図３】
0005321703.tif 000004
【図４】
0005321703.tif 000005
【図５】
0005321703.tif 000006
【図６】
0005321703.tif 000007
【図７】
0005321703.tif 000008
【図８】
0005321703.tif 000009
【図９】
0005321703.tif 000010
【図１０】
0005321703.tif 000011
【図１１】
0005321703.tif 000012
【図１２】
0005321703.tif 000013
【図１３】
0005321703.tif 000014
【図１４】
0005321703.tif 000015
【図１５】
0005321703.tif 000016
【図１６】
0005321703.tif 000017